(57)【要約】【課題】複数の白色ＬＥＤ光源と、導光部材とからなり被照明領域の副走査方向の色むらを抑制する照明装置を提供する。【解決手段】導光部材４５の２つの側面４５ａ，４５ｂが、白色ＬＥＤ４１の光軸４１Ｊを含む基準面を挟んで面対称とはならず、２つの側面４５ａ，４５ｂのうち、原稿面に近い方の側面となる側面４５ｂと出射面４５outとのなす角が鋭角であり、導光部材４５の２つの側面４５ａ，４５ｂは、入射面４５inに入射する白色ＬＥＤ４１からの光のうち、Ｙ方向として光軸４１Ｊよりも原稿面に遠い方の側面となる側面４５ａ側に入射する第一の色の光及び第二の色の光の少なくとも一部と、Ｙ方向として光軸４１Ｊよりも原稿面に近い方の側面となる側面４５ｂ側に入射する第一の色の光及び第二の色の光の少なくとも一部のいずれをも出射面４５outから出射した後において光軸４５Ｊよりも側面４５ｂ側となるように反射する。【選択図】図９
2012257143.tif 000002
【特許請求の範囲】
【請求項１】
原稿面を読み取るための長さと幅を有する被照明領域と、前記長さ方向を主走査方向とし、幅方向を副走査方向とするとき、前記主走査方向に所定間隔で並べた複数の光源と、該複数の光源と前記原稿面との間に配置され、前記複数の光源からの光束を前記被照明領域に導く導光部材と、を有する照明装置において、
前記光源は、拡散角の異なる第一の色の光と第二の色の光を重ね合わせて白色とした光を出射するものであり、
前記導光部材は、前記複数の光源からの光が入射する入射面と、前記被照明領域に向けて光を出射する出射面と、前記入射面と出射面とをつなぐとともに対向する面であって前記入射面から入射された光を内部で反射して前記出射面に導く２つの側面と、を有し、
前記複数の光源の光軸を前記導光部材の入射面及び出射面に対して略垂直とするとともに、前記原稿面の法線に対して所定の角度傾けて配置し、
前記導光部材の２つの側面が、前記複数の光軸を含む基準面を挟んで面対称とはならず、前記２つの側面のうち、前記原稿面に近い方の側面と前記出射面とのなす角が鋭角であり、
前記導光部材の２つの側面は、前記入射面に入射する前記複数の光源からの光のうち、副走査方向として前記光源の光軸よりも前記原稿面に遠い方の側面側に入射する第一の色の光及び第二の色の光の少なくとも一部と、副走査方向として前記光源の光軸よりも前記原稿面に近い方の側面側に入射する第一の色の光及び第二の色の光の少なくとも一部のいずれをも前記出射面から出射した後において前記光源の光軸よりも前記原稿面に近い方の側面側となるように反射することを特徴とする照明装置。
【請求項２】
前記複数の光源の光軸と前記原稿面との交点が、前記被照明領域の副走査方向中心よりも該複数の光源配置側とは反対側となるように、前記複数の光源の光軸が傾けられていることを特徴とする請求項１に記載の照明装置。
【請求項３】
前記導光部材の入射面側の厚みよりも出射面側の厚みが大きいことを特徴とする請求項１または２に記載の照明装置。
【請求項４】
前記光源から出射される第二の色の光が第一の色の光よりも拡散角が大きいことを特徴とする請求項１〜３のいずれかに記載の照明装置。
【請求項５】
前記光源は、前記第一の色の光を発光する発光ダイオードと、該第一の色の光により前記第二の色の光を発光する蛍光部と、を有することを特徴とする請求項１〜４のいずれかに記載の照明装置。
【請求項６】
請求項１〜５のいずれかに記載の照明装置と、前記照明装置から出射され前記原稿面で反射された光の光路上に配置された読取光学系と、前記読取光学系を介した光が入射する撮像素子と、を備えることを特徴とする画像読取装置。
【請求項７】
請求項６に記載の画像読取装置と、前記画像読取装置で読み取られた画像情報に基づいて記録媒体上に画像を形成する画像形成部と、を備えることを特徴とする画像形成装置。
【発明の詳細な説明】
【技術分野】
【０００１】
本発明は、発光ダイオードを用いた照明装置、画像読取装置及び画像形成装置に関するものである。
【背景技術】
【０００２】
従来、スキャナなどの画像読取装置では、コンタクトガラス上に配置され読取対象物となる原稿の原稿面に向けて光を出射する光源を有し、原稿面で反射された後に読取光軸に沿って進行する読取光を、レンズを介してＣＣＤ（Charge Coupled Device）等の画像読取部に結像し、原稿画像を読み取っている。
【０００３】
このような画像読取装置の光源として、蛍光灯やキセノンランプ等の線状光源や、発光ダイオード（Light Emitting Diode（以下、ＬＥＤともいう））等の点状光源を並べて使用されている。ＬＥＤ等の点状光源を使用することにより、画像読取装置の小型化、消費電力の低減等を図れる。
【０００４】
また、画像読取装置の光源として白色ＬＥＤが用いられているが、照明方向に色度分布があるため、画像読取装置において読み取り位置がずれた場合に色変化が生じるので問題であった。すなわち、画像読取装置の照明光の色むらが生じるということは、正しい読み取りができなくなるということであるため、光量不足よりも優先度の高い要求項目となっている。色むらが生じない構成は、照度が最大となる構成と同じとは限らないから、照度を犠牲にしてでも色むらを抑える構成とする必要がある。
【０００５】
ここで、色むらの対策としての従来技術として、特許文献１では、白色ＬＥＤの出射角を規制し、周辺光を照明に用いないよう規制部材を設ける発明が提案されている。この場合、別途光の一部を規制する規制部品が必要となり、また部品保持精度も必要となる。そのため、部品費用や組み立て費用が余分にかかることや、照明光の一部を使わないので効率が悪くなるという問題があった。
【０００６】
また、特許文献２では、色むらの対策として、原稿面に向けて照明光を照射する複数の光源をライン状に配列した照明ユニットにおいて、隣接する光源の光軸Ｚ間の距離をＬ、光源により原稿面上で光源配列方向に照明される領域をＡ、光源からの照明光の出射角をα、ＸＹ座標系の色度座標Ｘにおける出射角に応じた照明光の色差をΔＸ、及びＸＹ座標系の色度座標Ｙにおける出射角に応じた照明光の色差をΔＹで表すときに、ΔＸ及びΔＹが０．０２以下である出射角αの照明光が照明範囲Ａを照射し、Ｌ≦Ａとする発明が提案されている。この場合、光源配列方向の色むらは対策されるが、光源配列に対して垂直方向の色むらは対策されない。
【０００７】
また、特許文献３では、色むらの対策として、白色ＬＥＤには、透明部材で形成され、形状を略柱形状とし、少なくとも白色ＬＥＤの発光面の直径と同等以上の長さとしたロッドレンズが取付けられ、このロッドレンズを透過した光をもって集光レンズ部により配光形成を行う照明器具とすることで、ロッドレンズの光の放出面により発光面積を限定すると共に色むらをなくしてスポット配光が得られる発明が提案されている。この場合、ＬＥＤの直後にロッドレンズを設ける必要があり、コスト高となり、スペースも必要となるから、装置が大きくなってしまうという問題が生じる。
【０００８】
また、特許文献４では、導光部材の例が開示されている。これは、小型化のため、導光部材の一方の面は光を反射させて使い、もう一方の面は光を反射させないで用いる構成の例である。この場合、入射面が基板に垂直であるから、安価で効率の良いトップビューＬＥＤには向かない構成である。また、入射面と出射面の角度が異なる構成であり、ＬＥＤからの強度が最も高い中央光線を反射させて使うから、鏡面の角度変化時に出射光線の向きが変化しやいという問題がある。その他基板方向に進んだ光が無駄になり、効率に問題がある。さらに、色むらについては、中央光線は鏡などで反射した場合と同様なので、直接ＬＥＤで照明領域を照明したのと同じである。もう一方の直接光はＬＥＤ光源の周辺光を用いるため、黄色味がかった光となり、全体としては色むらがある照明光となるので問題である。
【０００９】
また、特許文献５にも、導光部材の例が開示されている（図２１）。これは、照度むらが少なく、照明効率の高い照明装置であり、色むらについては考慮されていない。そのため、照明光における青色光と黄色光の分布を考慮し、使用範囲の中央でピークが概略一致する構成となっているとは限らず、色むらが生じる可能性があるため問題である。
【発明の概要】
【発明が解決しようとする課題】
【００１０】
本発明は、以上の従来技術における課題に鑑みてなされたものであり、複数の白色ＬＥＤの光源を用いても被照明領域における副走査方向の色むらを抑制できる照明装置、該照明装置を用いる画像読取装置、該画像読取装置を用いる画像形成装置を提供することを目的とする。
【課題を解決するための手段】
【００１１】
前記課題を解決するために提供する本発明は、原稿面を読み取るための長さと幅を有する被照明領域と、前記長さ方向を主走査方向とし、幅方向を副走査方向とするとき、前記主走査方向に所定間隔で並べた複数の光源と、該複数の光源と前記原稿面との間に配置され、前記複数の光源からの光束を前記被照明領域に導く導光部材と、を有する照明装置において、前記光源は、拡散角の異なる第一の色の光と第二の色の光を重ね合わせて白色とした光を出射するものであり、前記導光部材は、前記複数の光源からの光が入射する入射面と、前記被照明領域に向けて光を出射する出射面と、前記入射面と出射面とをつなぐとともに対向する面であって前記入射面から入射された光を内部で反射して前記出射面に導く２つの側面と、を有し、前記複数の光源の光軸を前記導光部材の入射面及び出射面に対して略垂直とするとともに、前記原稿面の法線に対して所定の角度傾けて配置し、前記導光部材の２つの側面が、前記複数の光軸を含む基準面を挟んで面対称とはならず、前記２つの側面のうち、前記原稿面に近い方の側面と前記出射面とのなす角が鋭角であり、前記導光部材の２つの側面は、前記入射面に入射する前記複数の光源からの光のうち、副走査方向として前記光源の光軸よりも前記原稿面に遠い方の側面側に入射する第一の色の光及び第二の色の光の少なくとも一部と、副走査方向として前記光源の光軸よりも前記原稿面に近い方の側面側に入射する第一の色の光及び第二の色の光の少なくとも一部のいずれをも前記出射面から出射した後において前記光源の光軸よりも前記原稿面に近い方の側面側となるように反射することを特徴とする照明装置である。
【発明の効果】
【００１２】
本発明の照明装置によれば、導光部材の２つの側面における反射により、入射面に入射する複数の光源からの光のうち、副走査方向として光源の光軸よりも原稿面に遠い方の側面側に入射する第一の色の光及び第二の色の光の少なくとも一部と、副走査方向として光源の光軸よりも原稿面に近い方の側面側に入射する第一の色の光及び第二の色の光の少なくとも一部のいずれをも出射面から出射した後において光源の光軸よりも原稿面に近い方の側面側となるようにシフトさせるので、副走査方向の照度分布が適切に調整され、被照明領域における副走査方向の色むらを抑制することができる。
【図面の簡単な説明】
【００１３】
【図１】白色ＬＥＤの構成を示す断面図である。
【図２】白色ＬＥＤから出射される光の中の青色光と黄色光の照明方向と照度の関係を示す図である。
【図３】白色ＬＥＤの出射光線の色分布を示す図である。
【図４】従来の照明装置で用いられる導光部材による白色ＬＥＤの光の導光状態の例（１）を示す断面図である。
【図５】従来の照明装置で用いられる導光部材による白色ＬＥＤの光の導光状態の例（２）を示す断面図である。
【図６】従来の画像読取装置における照明装置と被照明領域の関係を示す概略図である。
【図７】従来の画像読取装置における被照明領域の青色光ＬＢ、黄色光ＬＹの照度分布及び色度分布の模式図である。
【図８】本発明の画像読取装置の要部構成を示す断面図である。
【図９】本発明の照明装置で用いられる導光部材による白色ＬＥＤの光の導光状態の例（１）を示す断面図である。
【図１０】本発明の画像読取装置における照明装置と被照明領域の関係を示す概略図である。
【図１１】本発明の画像読取装置における被照明領域の青色光ＬＢ、黄色光ＬＹの照度分布の模式図である。
【図１２】本発明の照明装置で用いられる導光部材による白色ＬＥＤの光の導光状態の例（２）を示す断面図である。
【図１３】本発明の照明装置で用いられる導光部材による白色ＬＥＤの光の導光状態の例（３）を示す断面図である。
【図１４】本発明に係る画像形成装置の構成を示す断面図である。
【発明を実施するための形態】
【００１４】
まず、画像読取装置の光源として用いられる白色ＬＥＤについて説明する。
図１に示すように、光源として主に用いられる白色ＬＥＤ４１は、青色光を発光する発光ダイオードであるＬＥＤチップ５２と青色光によって黄色に発光する蛍光体５３から構成されており、発光位置が異なっている。
【００１５】
そのため、白色ＬＥＤ４１から出射される光の中の青色の光と黄色の光の照明方向と照度の関係は、例えば図２に示す関係となる。すなわち、青色光ＬＢは点光源に近いＬＥＤチップ５２からの光であるため概略照明方向の中央にピークを有する拡散角の小さな比較的急峻な曲線の照度分布を示す、黄色光ＬＹは蛍光体５３からの光であるため、青色光ＬＢよりも拡散角が大きく照明方向に比較的一様な照度分布となる。その結果、黄色光ＬＹと青色光ＬＢの照度比率として、照明方向の中央部では青色光ＬＢの照度が黄色光ＬＹよりも大きいので全体として青色味を帯びた白色光になり、照明方向の周辺部では黄色光ＬＹの照度が青色光ＬＢよりも大きいので、全体として黄色味を帯びた白色光になる。なお、青色光ＬＢの波長は、例えば４３０〜４７０ｎｍであり、黄色光ＬＹの波長は、例えば５３０〜６００ｎｍである。
【００１６】
この様子を別の図で説明する。
図３は、白色ＬＥＤ４１の出射光線の色分布について示したものである。図３（ａ）は、白色ＬＥＤ４１から出射される光の所定方向（例えば、副走査方向）の断面図、図３（ｂ）は、白色ＬＥＤ４１から出射される光を上から見た図である。
白色ＬＥＤ４１から出射される光は、図３（ａ）に示すように、その光軸（法線）４１Ｊに対し、±γの角度の範囲では青色味がかった白色光になり、それより外側となる周辺の領域では黄色味がかった白色光になる。
【００１７】
ここで、光軸４１Ｊに沿って出射される光をＬ１、光軸４１Ｊに対して角度−γ（図中左側）に傾いて出射される光をＬ２１、光軸４１Ｊに対して角度＋γ（図中右側）に傾いて出射される光をＬ２２、光軸４１Ｊから−側に最も傾いて出射される光をＬ３１、＋側に最も傾いて出射される光をＬ３２と称する。したがって、白色ＬＥＤ４１から出射される光の中で、光Ｌ１は最も青色味の強い中央光であり、光Ｌ２１，Ｌ２２は最も白色に近い、すなわち白色ＬＥＤ４１から出射される光の副走査方向の色度分布における平均色度の光であり、光Ｌ３１，Ｌ３２は最も黄色味の強い周辺光である。
【００１８】
また、白色ＬＥＤ４１から出射される光は、図３（ｂ）に示すように、同心円状に色度が変化した光となり、すなわち円の中央部が青色味がかった白色光、その周辺部が黄色味がかった白色光、その中間が平均色度（白色光領域）になっている。ここで、光の円の中心が光Ｌ１であり、円周上の光Ｌ２は前記光Ｌ２１，Ｌ２２を含むものであり、円周上の光Ｌ３は前記光Ｌ３１，Ｌ３２を含むものである。
【００１９】
図４に、従来の照明装置で用いられる導光部材による白色ＬＥＤ４１の光の導光状態の例（１）を示す。ここでは、導光部材８５の幅方向（Ｘ方向）のある位置における断面状態を示している。
【００２０】
ここで、導光部材８５は、白色ＬＥＤ４１からの光が入射する入射面８５inと、光を出射する出射面８５outと、入射面８５inと出射面８５outとをつなぐとともに対向する面であって入射面８５inから入射された光を内部で反射して出射面８５outに導く２つの側面８５ａ，８５ｂと、を有する光学部材である。また、導光部材８５は、長さ方向（Ｚ方向）に一定の幅（Ｘ方向）及び厚み（Ｙ方向）をもち、幅方向（Ｘ方向）に一定の長さ（Ｚ方向）をもつ平板形状を呈している。
【００２１】
また、白色ＬＥＤ４１の光軸（すなわち光Ｌ１）が導光部材８５の入射面８５in及び出射面８５outに対して略垂直となるように、白色ＬＥＤ４１及び導光部材８５を配置している。
【００２２】
このような配置関係の白色ＬＥＤ４１及び導光部材８５において、導光部材８５の出射面８５out近傍に該出射面８５outと平行に仮想スクリーン７０を配置した場合の白色ＬＥＤ４１の光の導光状態を考えると、まず青色味の強い中央光である光Ｌ１は導光部材８５内をそのまま直進し、仮想スクリーン７０上の光軸４１Ｊとの交点である位置Ｐ１に到達する。また、光Ｌ２１は入射面８５inにおいて光軸４１Jよりも側面８５ａ側に入射し、導光部材８５内で側面８５ａ→側面８５ｂと反射された後、仮想スクリーン７０上の位置Ｐ１よりも側面８５ａ側となる位置Ｐ２１に到達する。また、光Ｌ２２は入射面８５inにおいて光軸４１Jよりも側面８５ｂ側に入射し、導光部材８５内で側面８５ｂ→側面８５ａと反射された後、仮想スクリーン７０上の位置Ｐ１よりも側面８５ｂ側となる位置Ｐ２２に到達する。また、光Ｌ３１は入射面８５inにおいて光Ｌ２１よりも側面８５ａ側に入射し、導光部材８５内で側面８５ａ→側面８５ｂの反射を３回繰り返した後、仮想スクリーン７０上の位置Ｐ２１よりも側面８５ａ側となる位置Ｐ３１に到達する。また、光Ｌ３２は入射面８５inにおいて光Ｌ２２よりも側面８５ｂ側に入射し、導光部材８５内で側面８５ｂ→側面８５ａの反射を３回繰り返した後、仮想スクリーン７０上の位置Ｐ２２よりも側面８５ｂ側となる位置Ｐ３２に到達する。
【００２３】
この結果、仮想スクリーン７０上に到達する光は、白色ＬＥＤ４１から出射される光の照度分布（図２）と同様に、光軸４１Ｊに対応する中央領域が青色味がかった白色光になり、それより外側となる周辺の領域では黄色味がかった白色光になり、色むらが生じるようになる。
【００２４】
つぎに図５に、従来の照明装置で用いられる導光部材による白色ＬＥＤ４１の光の導光状態の例（２）を示す。ここでは、導光部材９５の幅方向（Ｘ方向）のある位置における断面状態を示している。
【００２５】
ここで、導光部材９５は、白色ＬＥＤ４１からの光が入射する入射面９５inと、光を出射する出射面９５outと、入射面９５inと出射面９５outとをつなぐとともに対向する面であって入射面９５inから入射された光を内部で反射して出射面９５outに導く２つの側面９５ａ，９５ｂと、を有する光学部材である。また、導光部材９５は、長さ方向（Ｚ方向）に一定の幅（Ｘ方向）を持つとともに出射面９５out側に向けて厚み（Ｙ方向）が大きくなり、幅方向（Ｘ方向）に一定の長さ（Ｚ方向）をもつテーパ形状を呈している。すなわち、図５において、光軸４１Ｊを通る紙面垂直方向の平面を中心として側面９５ａ，９５ｂが面対称の関係となっている。
【００２６】
また、白色ＬＥＤ４１の光軸（すなわち光Ｌ１）が導光部材９５の入射面９５in及び出射面９５outに対して略垂直となるように、白色ＬＥＤ４１及び導光部材９５を配置している。
【００２７】
このような配置関係の白色ＬＥＤ４１及び導光部材９５において、導光部材９５の出射面９５out近傍に該出射面９５outと平行に仮想スクリーン７０を配置した場合の白色ＬＥＤ４１の光の導光状態を考えると、まず青色味の強い中央光である光Ｌ１は導光部材９５内をそのまま直進し、仮想スクリーン７０上の光軸４１Ｊとの交点である位置Ｐ１に到達する。また、光Ｌ２１は入射面９５inにおいて光軸４１Jよりも側面９５ａ側に入射し、導光部材９５内で側面９５ａに反射された後、仮想スクリーン７０上の位置Ｐ１よりも側面９５ｂ側となる位置Ｐ２１に到達する。また、光Ｌ２２は入射面９５inにおいて光軸４１Jよりも側面９５ｂ側に入射し、導光部材９５内で側面９５ｂに反射された後、仮想スクリーン７０上の位置Ｐ１よりも側面９５ａ側となる位置Ｐ２２に到達する。また、光Ｌ３１は入射面９５inにおいて光Ｌ２１よりも側面９５ａ側に入射し、導光部材９５内で側面９５ａ→側面９５ｂと反射された後、仮想スクリーン７０上の位置Ｐ２２よりも側面９５ａ側となる位置Ｐ３１に到達する。また、光Ｌ３２は入射面９５inにおいて光Ｌ２２よりも側面９５ｂ側に入射し、導光部材９５内で側面９５ｂ→側面９５ａと反射された後、仮想スクリーン７０上の位置Ｐ２１よりも側面９５ｂ側となる位置Ｐ３２に到達する。
【００２８】
この結果、仮想スクリーン７０上に到達する光は、白色ＬＥＤ４１から出射される光の照度分布(図２)と同様に、光軸４１Ｊに対応する中央領域が青色味がかった白色光になり、それより外側となる周辺の領域では黄色味がかった白色光になり、色むらが生じるようになる。
【００２９】
ところで、画像読取装置では、このような白色ＬＥＤ４１と導光部材８５（または９５）の組み合わせを配置する場合、図６に示すように、原稿面すなわち原稿を載置するコンタクトガラス１２の主面の法線（被照明領域端５０，５０で規定される被照明領域の中央線でもある）５１に対して、白色ＬＥＤ４１の光軸４１Ｊを所定の角度傾けて配置して、スキャニングをしながら読み取りを行うためのスペースを確保している。すなわち、原稿読み取りの際には、白色ＬＥＤ４１及び導光部材８５の照明装置から被照明領域５０，５０に光を照射しながら、該照明装置をコンタクトガラス１２の主面に平行に（図中左右方向に）移動する走査を行うが、このとき被照明領域５０，５０からコンタクトガラス１２の主面の法線方向（図中、下方向）への反射光が画像読み取りの撮像素子へ向かうためのスペースが確保されている。したがって、図６では２本の被照明領域端５０，５０で挟まれる範囲は読み取りのための光路となるため、部品などを設置できない領域となる。
【００３０】
なお、被照明領域端５０，５０で規定される被照明領域は原稿面を読み取るための長さと幅を有しており、図６において前記長さ方向（図中、紙面垂直方向）を主走査方向とし、幅方向（図中、左右方向）を副走査方向とする。
【００３１】
また、白色ＬＥＤ４１及び導光部材８５からなる照明装置は、概略白色ＬＥＤ４１（さらには導光部材８５）の光軸４１Ｊが被照明領域の中央になる、つまりコンタクトガラス１２上で被照明領域の中央線５１と交差するように設置する構成が照明光の効率の点で有利である。
【００３２】
この場合、図６に示すような、コンタクトガラス１２と照明装置（白色ＬＥＤ４１及び導光部材８５）の配置関係となり、被照明領域のうち、図中右側（すなわち照明装置側）の領域の方が図中左側（照明装置から遠い側）の領域よりも、導光部材８５からの光のうちより黄色味の光線まで被照明領域に到達するようになる。一方、被照明領域のうち、図中左側（照明装置から遠い側）では、導光部材８５からの光のうち、より青色味の強い光が到達するようになる。その結果、図６の被照明領域端５０，５０の間の被照明領域において、被照明領域の中央線５１よりも照明装置側の領域では黄色味の強く、照明装置とは反対側の領域ではより青色味が強くなる。
【００３３】
図７は、図６に示すコンタクトガラス１２と照明装置（白色ＬＥＤ４１及び導光部材８５）の配置関係におけるコンタクトガラス１２上の青色光ＬＢと、黄色光ＬＹの照度分布（図７（ａ））及び色度分布（図７（ｂ））の模式図である。
図７（ａ）の青色光ＬＢと、黄色光ＬＹの照度分布は、導光部材８５の出射面８５outから出射される光が前述のように図２と同様の照度分布を有し、かつコンタクトガラス１２の主面の法線５１に対して、白色ＬＥＤ４１の光軸４１Ｊを所定の角度傾けて配置している結果を示している。すなわち、導光部材８５の出射面８５outから出射される光のうち、黄色光ＬＹは図２のように照明方向において青色光ＬＢよりも一様な照度分布であるところ、光は距離の２乗に比例して暗くなる関係から、被照明領域において照明装置に近い側が明るくなり、照明装置から遠い側が暗くなるため、黄色光ＬＹの照度分布のピークは被照明領域の中央線５１よりも照明装置側（手前側、図中右側）にシフトする。一方、青色光ＬＢは図２のように照明方向において中央にピークを有するため、コンタクトガラス１２の主面の法線５１に対して斜めから入射したとしても、青色光ＬＢの照度分布のピークは被照明領域の中央線５１に現れる。
その結果、被照明領域では、図７（ａ）に示すように、照明方向においてコンタクトガラス１２の主面の法線５１よりも照明装置側（手前側）と照明装置とは反対側（奥側）で、青色光ＬＢと黄色光ＬＹの照度の比率が異なるようになる。
【００３４】
図７（ｂ）における点線は、このときの色度分布を示したものである。ここでは、色度が大きいと青く、小さいと黄色いことを示している。
図７（ａ），（ｂ）を並べてみると、照明装置側（手前側）では黄色光ＬＹの照度が青色光ＬＢよりも大きいことから（図７（ａ））、黄色味の強い照明光となる（図７（ｂ））。また、照明装置の反対側（奥側）では青色光ＬＢの照度が黄色光ＬＹよりも大きいことから（図７（ａ））、青色味の強い照明光となる（図７（ｂ））。
【００３５】
このように、従来の画像読取装置では、被照明領域において副走査方向における色度分布が生じており、画像の読み取り位置がずれた場合などに読取画像の色変化が生じるため問題であった。
発明者らは、前述したような知見に基づき、この問題を解決すべく鋭意検討を行い、本発明を成すに至った。
【００３６】
すなわち、本発明に係る照明装置は、原稿面を読み取るための長さと幅を有する被照明領域と、前記長さ方向を主走査方向とし、幅方向を副走査方向とするとき、前記主走査方向に所定間隔で並べた複数の光源と、該複数の光源と前記原稿面との間に配置され、前記複数の光源からの光束を前記被照明領域に導く導光部材と、を有する照明装置において、前記光源は、拡散角の異なる第一の色の光と第二の色の光を重ね合わせて白色とした光を出射するものであり、前記導光部材は、前記複数の光源からの光が入射する入射面と、前記被照明領域に向けて光を出射する出射面と、前記入射面と出射面とをつなぐとともに対向する面であって前記入射面から入射された光を内部で反射して前記出射面に導く２つの側面と、を有し、前記複数の光源の光軸を前記導光部材の入射面及び出射面に対して略垂直とするとともに、前記原稿面の法線に対して所定の角度傾けて配置し、前記導光部材の２つの側面が、前記複数の光軸を含む基準面を挟んで面対称とはならず、前記２つの側面のうち、前記原稿面に近い方の側面と前記出射面とのなす角が鋭角であり、前記導光部材の２つの側面は、前記入射面に入射する前記複数の光源からの光のうち、副走査方向として前記光源の光軸よりも前記原稿面に遠い方の側面側に入射する第一の色の光及び第二の色の光の少なくとも一部と、副走査方向として前記光源の光軸よりも前記原稿面に近い方の側面側に入射する第一の色の光及び第二の色の光の少なくとも一部のいずれをも前記出射面から出射した後において前記光源の光軸よりも前記原稿面に近い方の側面側となるように反射することを特徴とするものである。
【００３７】
以下に、本発明に係る画像読取装置、及び画像読取装置の一部を構成する照明装置、並びに前記画像読取装置を備えた画像形成装置についてさらに詳細に説明する。なお、以下に述べる実施の形態は、本発明の好適な実施の形態であるから技術的に好ましい種々の限定が付されているが、本発明の範囲は以下の説明において本発明を限定する旨の記載がない限り、これらの態様に限られるものではない。
【００３８】
〔第１の実施の形態〕
本発明の第１の実施の形態について、図８〜図１１を用いて説明する。
図８は、本発明に係る照明装置の第１の実施の形態における画像読取装置１３内の照明装置１８の内部構造を示す概略正面図であり、コンタクトガラス１２も含む正面図である。
【００３９】
ここで、画像読取装置１３では、コンタクトガラス１２上には原稿が載置され、原稿のコンタクトガラス１２側の原稿面に照明装置１８からの照明光が照射される。ついで、原稿面の被照明領域端５０，５０の間の被照明領域を照射し反射された反射光は、被照明領域の中央線５１に沿って図中下方の読み取り光学系（第１ミラー１９（図１には示していない。図１４参照。））に向かって進み、画像読取部（後述）で読み取られる。
なお、被照明領域は、原稿面を読み取るための長さと幅を有しており、前記長さ方向（図中、紙面垂直方向）を主走査方向とし、幅方向（図中、左右方向）を副走査方向とする。
【００４０】
照明装置１８は、基板４２上に固定され、主走査方向に所定間隔で配列された複数の白色ＬＥＤ４１と、該複数の白色ＬＥＤ４１と原稿面（コンタクトガラス１２）との間に配置され、複数の白色ＬＥＤ４１からの光束を前記被照明領域に導く導光部材４５と、を有する。
【００４１】
照明装置１８では、白色ＬＥＤ４１から出射した光が導光部材４５を通過し、一部の光は矢印４８の様にコンタクトガラス１２上の被照明領域端５０，５０の間の被照明領域に向かう。また、その他の一部の光は矢印４９の様に、ホルダ４７に実装された反射部材であるミラー４６の方向へ向かい、ミラー４６で反射され、矢印４０の様にコンタクトガラス１２上の被照明領域に向かう。ミラー４６は被照明領域の照度を向上させるためのものであり、省略してもよい。なお、導光部材４５及び基板４２はホルダ４３に板ばね５４及びねじ４４で固定される。
【００４２】
ここから、本発明の要部構成について説明をする。
図９は、本発明の照明装置１８で用いられる導光部材４５の構成例（１）を示す断面図である。
ここでは、導光部材４５の幅方向（Ｘ方向）のある位置における断面状態を示すとともに、導光部材４５による白色ＬＥＤ４１の光の導光状態の例を示している。
【００４３】
導光部材４５は、白色ＬＥＤ４１からの光が入射する入射面４５inと、光を出射する出射面４５outと、入射面４５inと出射面４５outとをつなぐとともに対向する面であって入射面４５inから入射された光を内部で反射して出射面４５outに導く２つの側面４５ａ，４５ｂと、を有する透明な光学部材である。また、導光部材４５は、長さ方向（Ｚ方向）に一定の幅（Ｘ方向）を持つとともに出射面４５out側に向かうにつれて側面４５ｂ側に厚み（Ｙ方向）が大きくなり、幅方向（Ｘ方向）に一定の長さ（Ｚ方向）をもつ片側テーパ形状を呈している。
【００４４】
すなわち、図９において、光軸４１Ｊを通る紙面垂直方向の平面を中心として側面４５ａ，４５ｂが面対称の関係とはならず、前記原稿面に近い方の側面となる側面４５ｂと出射面４５outとのなす角が鋭角（例えば８０度）となっている。また、側面４５ｂと入射面４５inとのなす角が鈍角（例えば１００度）となっている。さらに、前記原稿面に遠い方の側面となる側面４５ａと入射面４５in、出射面４５outとなす角はそれぞれ直角となっている。
【００４５】
また、白色ＬＥＤ４１の光軸（すなわち光Ｌ１）が導光部材４５の入射面４５in及び出射面４５outに対して略垂直となるように、白色ＬＥＤ４１及び導光部材４５を配置している。
【００４６】
このような配置関係の白色ＬＥＤ４１及び導光部材４５において、導光部材４５の出射面４５out近傍に該出射面４５outと平行に仮想スクリーン７０を配置した場合の白色ＬＥＤ４１の光の導光状態を考える。このとき、仮想スクリーン７０は、コンタクトガラス１２上の被照明領域における光の照射状態が分かる程度に導光部材４５から離れている。
まず青色味の強い中央光である光Ｌ１は導光部材４５内をそのまま直進し、仮想スクリーン７０上の光軸４１Ｊとの交点である位置Ｐ１に到達する。また、光Ｌ２１は入射面４５inにおいて光軸４１Jよりも側面４５ａ側に入射し、導光部材４５内で側面４５ａで反射された後、仮想スクリーン７０上の位置Ｐ１よりも側面４５ｂ側となる位置Ｐ２１に到達する。また、光Ｌ２２は入射面４５inにおいて光軸４１Jよりも側面４５ｂ側に入射し、導光部材４５内で側面４５ｂで反射された後、仮想スクリーン７０上の位置Ｐ１の近傍となる位置Ｐ２２に到達する。また、光Ｌ３１は入射面４５inにおいて光Ｌ２１よりも側面４５ａ側に入射し、導光部材４５内で側面４５ａ→側面４５ｂ→側面４５ａと反射された後、仮想スクリーン７０上の位置Ｐ２１の近傍となる位置Ｐ３１に到達する。また、光Ｌ３２は入射面４５inにおいて光Ｌ２２よりも側面４５ｂ側に入射し、導光部材４５内で側面４５ｂ→側面４５ａの反射を２回繰り返した後、仮想スクリーン７０上の位置Ｐ１よりも側面４５ｂ側となる位置Ｐ３２に到達する。
【００４７】
なお、白色ＬＥＤ４１の光のうち、光Ｌ１と光Ｌ２１の間の光、すなわち図３（ａ）において光軸４１Ｊに対して角度−γ〜０度の範囲の光の大部分は側面４５ａで反射され、光Ｌ１と光Ｌ２２の間の光、すなわち図３（ａ）において光軸４１Ｊに対して角度０〜＋γ度の範囲の光の大部分は側面４５ｂに反射されずそのまま導光部材４５を透過して出射面４５outから出射される。
【００４８】
この結果、導光部材４５の２つの側面４５ａ，４５ｂの反射により、入射面４５inに入射する白色ＬＥＤ４１からの光のうち、副走査方向として光軸４１Ｊよりも前記原稿面に遠い方の側面である側面４５ａ側に入射する第一の色の光（青色光ＬＢ）及び第二の色の光（黄色光ＬＹ）の大部分と、副走査方向として光軸４１Ｊよりも前記原稿面に近い方の側面である側面４５ｂ側に入射する第一の色の光（青色光ＬＢ）及び第二の色の光（黄色光ＬＹ）の大部分のいずれをも出射面４５outから出射した後において光軸４１Ｊよりも前記原稿面に近い方の側面側すなわち側面４５ｂ側となる。
【００４９】
すなわち、白色ＬＥＤ４１の光のうち、光Ｌ２１，Ｌ２２に囲まれた中央領域の青色味の強い光の仮想スクリーン７０上での到達位置は、図４，図５と比べると、側面４５ｂ側にシフトしている。また、光Ｌ２１，Ｌ２２によりも外側の周辺領域の黄色味の強い光の仮想スクリーン７０上での到達位置は、図４，図５と比べると、周辺に偏るわけではないが、同様に側面４５ｂ側にシフトしている。
【００５０】
図１０は、本発明の画像読取装置１３における照明装置１８である白色ＬＥＤ４１及び導光部材４５の配置関係を示す概略図である。
画像読取装置１３では、図１０に示すように、原稿面すなわち原稿を載置するコンタクトガラス１２の主面の法線（被照明領域端５０，５０で規定される被照明領域の中央線でもある）５１に対して、白色ＬＥＤ４１の光軸４１Ｊを所定の角度傾けて配置して、スキャニングをしながら読み取りを行うためのスペースを確保している。また、このとき白色ＬＥＤ４１の光軸４１Ｊと原稿面となるコンタクトガラス１２との交点が、前記被照明領域の副走査方向中央線５１よりも白色ＬＥＤ４１配置側とは反対側となるように、白色ＬＥＤ４１の光軸４１Ｊが傾けられている。これは、図９において説明したとおり、青色味の強い光及び黄色味の強い光が出射面４５outから出射した後において光軸４１Ｊよりも側面４５ｂ側にシフトすることに対応するためである。
【００５１】
図１１に、このときの被照明領域における青色光及び黄色光の照度分布を示す。
導光部材４５から出射される黄色光ＬＹは、照明方向に比較的一様な分布であるかあるいは光軸４１Ｊよりも側面４５ｂ側に照度ピークを有する分布であり、光軸４１Ｊと原稿面となるコンタクトガラス１２との交点が、前記被照明領域の副走査方向中央線５１よりも白色ＬＥＤ４１配置側とは反対側となるように、白色ＬＥＤ４１の光軸４１Ｊを所定の角度傾けていることから、図１１では照明位置の中央すなわち被照明領域の中央線５１にピークを有する。また、導光部材４５から出射される青色光ＬＢは、光軸４１Ｊよりも側面４５ｂ側に照度ピークを有する分布であり、光軸４１Ｊと原稿面となるコンタクトガラス１２との交点が、前記被照明領域の副走査方向中央線５１よりも白色ＬＥＤ４１配置側とは反対側となるように、白色ＬＥＤ４１の光軸４１Ｊを所定の角度傾けていることから、図１１では照明位置の中央すなわち被照明領域の中央線５１にピークを有する。
【００５２】
その結果、黄色光ＬＹ、青色光ＬＢともに、照明位置の中央すなわち被照明領域の中央線５１にピークを有するようになり、被照明領域における照度も比較的同じであることから、被照明領域における照度比率がほぼ均一となる。そのため、図７（ｂ）において実線で示すように、被照明領域内で色度差が小さく左右対称の色度分布の照明が可能となる。
したがって、本発明の照明装置１８を画像読取装置１３に用いると、振動等何らかの原因によって、原稿読み取り位置がずれた場合であっても、副走査方向において色の変化が小さく、色むらの少ない読み取り画像を得ることができる。
【００５３】
〔第２の実施の形態〕
図１２に、本実施形態における照明装置の構成を示す。
ここでは、第１の実施の形態の照明装置と比べて、導光部材４５Ａの形状を変更しており、それ以外は同じである。
【００５４】
すなわち、導光部材４５Ａは、白色ＬＥＤ４１からの光が入射する入射面４５inと、光を出射する出射面４５outと、入射面４５inと出射面４５outとをつなぐとともに対向する面であって入射面４５inから入射された光を内部で反射して出射面４５outに導く２つの側面４５ａ，４５ｂと、を有する透明な光学部材である。また、導光部材４５Ａは、長さ方向（Ｚ方向）に一定の幅（Ｘ方向）と一定の厚み（Ｙ方向）を持つとともに、幅方向（Ｘ方向）に一定の長さ（Ｚ方向）をもつ平板形状を呈している。
【００５５】
また、光軸４１Ｊを通る紙面垂直方向の平面を中心として側面４５ａ，４５ｂが面対称の関係とはならず、前記原稿面に近い方の側面となる側面４５ｂと出射面４５outとのなす角が鋭角（例えば８０度）となり、側面４５ｂと入射面４５inとのなす角が鈍角（例えば１００度）となっている。さらに、前記原稿面に遠い方の側面となる側面４５ａと出射面４５outとのなす角が鈍角（例えば１００度）となり、側面４５ａと入射面４５inとのなす角が鋭角（例えば８０度）となっている。したがって、導光部材４５Ａの断面形状は平行四辺形となっている。
【００５６】
このような配置関係の白色ＬＥＤ４１及び導光部材４５において、導光部材４５の出射面４５out近傍に該出射面４５outと平行に仮想スクリーン７０を配置した場合の白色ＬＥＤ４１の光の導光状態を考える。このとき、仮想スクリーン７０は、コンタクトガラス１２上の被照明領域における光の照射状態が分かる程度に導光部材４５から離れている。
まず青色味の強い中央光である光Ｌ１は導光部材４５内をそのまま直進し、仮想スクリーン７０上の光軸４１Ｊとの交点である位置Ｐ１に到達する。また、光Ｌ２１は入射面４５inにおいて光軸４１Jよりも側面４５ａ側に入射し、導光部材４５内で側面４５ａで反射された後、仮想スクリーン７０上の位置Ｐ１よりも側面４５ｂ側となる位置Ｐ２１に到達する。また、光Ｌ２２は入射面４５inにおいて光軸４１Jよりも側面４５ｂ側に入射し、導光部材４５内で側面４５ｂ→側面４５ａと反射された後、仮想スクリーン７０上の位置Ｐ１の近傍で側面４５ｂ側となる位置Ｐ２２に到達する。また、光Ｌ３１は入射面４５inにおいて光Ｌ２１よりも側面４５ａ側に入射し、導光部材４５内で側面４５ａ→側面４５ｂ→側面４５ａ→側面４５ｂ→側面４５ａと反射された後、仮想スクリーン７０上の位置Ｐ２１よりも側面４５ｂ側となる位置Ｐ３１に到達する。また、光Ｌ３２は入射面４５inにおいて光Ｌ２２よりも側面４５ｂ側に入射し、導光部材４５内で側面４５ｂ→側面４５ａ→側面４５ｂ→側面４５ａの反射を繰り返した後、仮想スクリーン７０上の位置Ｐ１よりも側面４５ｂ側となる位置Ｐ３２に到達する。
【００５７】
このような構成においても、第１の実施形態と同様の効果により、色むらを改善することが可能である。なお、導光部材４５Ａの形状として、肉厚が均一なので、モールド加工で生産する場合、より高精度で、安定して生産が可能という効果がある。
【００５８】
〔第３の実施の形態〕
図１３に、本実施形態における照明装置の構成を示す。
ここでは、第１の実施の形態の照明装置と比べて、導光部材４５Ｂの形状を変更しており、それ以外は同じである。
【００５９】
すなわち、導光部材４５Ｂは、白色ＬＥＤ４１からの光が入射する入射面４５inと、光を出射する出射面４５outと、入射面４５inと出射面４５outとをつなぐとともに対向する面であって入射面４５inから入射された光を内部で反射して出射面４５outに導く２つの側面４５ａ，４５ｂと、を有する透明な光学部材である。また、導光部材４５Ｂは、長さ方向（Ｚ方向）に一定の幅（Ｘ方向）を持つとともに、出射面４５outに向かうにつれて厚み（Ｙ方向）が大きくなり、幅方向（Ｘ方向）に一定の長さ（Ｚ方向）をもつテーパ形状を呈している。
【００６０】
また、光軸４１Ｊを通る紙面垂直方向の平面を中心として側面４５ａ，４５ｂが面対称の関係とはならず、前記原稿面に近い方の側面となる側面４５ｂと出射面４５outとのなす角が鋭角（例えば７０度）となり、側面４５ｂと入射面４５inとのなす角が鈍角（例えば１１０度）となっている。さらに、前記原稿面に遠い方の側面となる側面４５ａと出射面４５outとのなす角が鋭角（例えば８０度）となり、側面４５ａと入射面４５inとのなす角が鋭角（例えば１００度）となっている。
【００６１】
このような配置関係の白色ＬＥＤ４１及び導光部材４５において、導光部材４５の出射面４５out近傍に該出射面４５outと平行に仮想スクリーン７０を配置した場合の白色ＬＥＤ４１の光の導光状態を考える。このとき、仮想スクリーン７０は、コンタクトガラス１２上の被照明領域における光の照射状態が分かる程度に導光部材４５から離れている。
まず青色味の強い中央光である光Ｌ１は導光部材４５内をそのまま直進し、仮想スクリーン７０上の光軸４１Ｊとの交点である位置Ｐ１に到達する。また、光Ｌ２１は入射面４５inにおいて光軸４１Jよりも側面４５ａ側に入射し、導光部材４５内で側面４５ａで反射された後、仮想スクリーン７０上の位置Ｐ１よりも側面４５ｂ側となる位置Ｐ２１に到達する。また、光Ｌ２２は入射面４５inにおいて光軸４１Jよりも側面４５ｂ側に入射し、導光部材４５内で側面４５ｂで反射された後、仮想スクリーン７０上の位置Ｐ１よりも（さらに位置Ｐ21よりも）側面４５ｂ側となる位置Ｐ２２に到達する。また、光Ｌ３１は入射面４５inにおいて光Ｌ２１よりも側面４５ａ側に入射し、導光部材４５内で側面４５ａ→側面４５ｂと反射された後、仮想スクリーン７０上の位置Ｐ２１よりも側面４５ｂ側となる位置Ｐ３１に到達する。また、光Ｌ３２は入射面４５inにおいて光Ｌ２２よりも側面４５ｂ側に入射し、導光部材４５内で側面４５ｂの反射をした後、仮想スクリーン７０上の位置Ｐ１よりも側面４５a側となる位置Ｐ３２に到達する。
【００６２】
このような構成においても、第１の実施形態と同様の効果により、色むらを改善することが可能である。なお、導光部材４５Ｂの形状では、反射後の青色光がより集光するため、より明るい照明が可能となる効果がある。
【００６３】
次に、本発明に係る画像形成装置の構成について説明する。
図１４は、本発明に係る画像形成装置の一実施形態であるフルカラーの複写機１の内部構造を示す概略正面図である。
複写機１の装置本体２内の中央部にはカラー画像を形成するための画像形成部３が設けられている。この画像形成部３は、等間隔に離間させて水平向きに並列に配設された４つのドラム状の感光体４、感光体４の外周面を一様に帯電する帯電ローラ５、帯電ローラ５により帯電された各感光体４の外周面を画像データに応じて露光することにより静電潜像を形成する露光装置６、静電潜像にトナーを供給することにより静電潜像をトナー像として顕像化する現像装置７、感光体４上のトナー像が順次転写される中間転写ベルト８、中間転写ベルト８上へのトナー像の転写後に感光体４上に残留したトナーを除去するクリーニング装置９、中間転写ベルト８上に転写されたトナー像を記録媒体Ｓに転写させる転写ローラ１０等により構成されている。
【００６４】
なお、４つの感光体４上にはそれぞれ異なる色のトナー像（Ｙ；イエロー、Ｍ；マゼンタ、Ｃ；シアン、Ｋ；ブラック）が形成され、これらの各色のトナー像が中間転写ベルト８上に転写されることにより、中間転写ベルト８上ではカラーのトナー像が形成され、このカラーのトナー像が記録媒体Ｓに転写される。
【００６５】
装置本体２の上部には、照明対象物である原稿を自動送りするＡＤＦ（Auto Document Feeder）１１と、照明対象物である原稿が載置されるコンタクトガラス１２と、本発明の照明装置１８を備え、ＡＤＦ１１で自動送りされた原稿又はコンタクトガラス１２上に載置された原稿を読み取る画像読取装置１３と、が配置されている。
【００６６】
画像読取装置１３は、コンタクトガラス１２と平行に２：１の速度で走行可能な第１・第２走行体１４，１５、レンズ１６、画像読取部（撮像素子）であるＣＣＤ１７等により構成されている。第１走行体１４には、コンタクトガラス１２上に載置された原稿、又は、ＡＤＦ１１で搬送される原稿の原稿面を照明するための照明装置１８と、原稿面で反射されて読取光軸に沿って進行する読取光を反射させる第１ミラー１９とが搭載されている。第２走行体１５には、第１ミラー１９で反射された光をさらに反射させる第２ミラー２０と第３ミラー２１とが搭載されている。第１〜第３ミラー１９，２０，２１で順次反射された読取光の進行方向前方には、レンズ１６とＣＣＤ１７とが配置されている。
【００６７】
装置本体２の下部には、記録媒体Ｓを収納する複数段、例えば４段の用紙カセット２４が設けられている。これらの用紙カセット２４内に収納された記録媒体Ｓはピックアップローラ２５とフィードローラ２６とにより一枚ずつ分離給紙され、分離給紙された記録媒体Ｓは装置本体２内に設けられた用紙搬送路２７に沿って搬送される。この用紙搬送路２７上には、レジストローラ２８、転写ローラ１０、定着装置２９、排紙ローラ３０等が配置されている。
【００６８】
このような構成において、画像読取装置１３での読み取り結果に応じて露光装置６の半導体レーザから各色（イエローＹ、マゼンタＭ、シアンＣ、ブラックＫ）の画像データに応じたレーザ光が出射され、そのレーザ光が帯電ローラ５により一様に帯電された各感光体４の外周面を露光することにより静電潜像が形成される。この静電潜像に対して各現像装置７から各色のトナーが供給されることにより、各色のトナー像が形成される。各感光体４上のトナー像は、感光体４と同期して移動する中間転写ベルト８上に順次転写され、中間転写ベルト８上にはカラートナー像が形成される。
【００６９】
一方、画像形成部３での画像形成動作開始にあわせ、用紙カセット２４内からは、記録媒体Ｓの分離給紙が開始され、分離給紙されて用紙搬送路２７上を搬送された記録媒体Ｓは間欠的に回転駆動するレジストローラ２８により、中間転写ベルト８と転写ローラ１０との間の転写位置へ送り込まれる。
【００７０】
次にレジストローラ２８が回転駆動され、記録媒体Ｓが中間転写ベルト８と転写ローラ１０との間に送り込まれることにより、中間転写ベルト８上のカラートナー像が記録媒体Ｓ上に転写される。記録媒体Ｓ上に転写されたカラートナー像は、記録媒体Ｓが定着装置２９を通過する過程で記録媒体Ｓに定着され、カラートナー像が定着された記録媒体Ｓは排紙ローラ３０によって排紙トレイ３１上に排紙される。
【００７１】
本発明の画像形成装置（複写機１）によれば、本発明の画像読取装置１３を備えているので、被照明領域における副走査方向の色むらの少ない画像読み取りができ、良好な画像形成が可能である。
【００７２】
なお、これまで本発明を図面に示した実施形態をもって説明してきたが、本発明は図面に示した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【符号の説明】
【００７３】
１    複写機
２    装置本体
３    画像形成部
４    感光体
５    帯電ローラ
６    露光装置
７    現像装置
８    中間転写ベルト
９    クリーニング装置
１０    転写ローラ
１１    自動原稿搬送装置（ＡＤＦ）
１２    コンタクトガラス
１３    画像読取装置
１４    第１走行体
１５    第２走行体
１６    レンズ
１７    撮像素子（ＣＣＤ）
１８    照明装置
１９    第１ミラー
２０    第２ミラー
２１    第３ミラー
２４    用紙カセット
２５    ピックアップローラ
２６    フィードローラ
２７    用紙搬送路
２８    レジストローラ
２９    定着装置
３０    排紙ローラ
３１    排紙トレイ
４０    矢印
４１    白色ＬＥＤ
４１Ｊ    光軸
４２    基板
４３    ホルダ
４４    ねじ
４５，４５Ａ，４５Ｂ，８５，９５    導光部材
４５ａ，４５ｂ，８５ａ，８５ｂ，９５ａ，９５ｂ    側面
４５in，８５in，９５in    入射面
４５out，８５out，９５out    出射面
４６    ミラー
４７    ホルダ
４８    矢印
４９    矢印
５０    被照明領域端
５１    被照明領域中央線
５２    ＬＥＤチップ
５３    蛍光体
５４    板ばね
７０    仮想スクリーン
Ｌ１，Ｌ２，Ｌ２１，Ｌ２２，Ｌ３，Ｌ３１，Ｌ３２    光
ＬＢ    青色光
ＬＹ    黄色光
Ｐ１，Ｐ２１，Ｐ２２，Ｐ３１，Ｐ３２    光が到達する位置
Ｓ    記録媒体
Ｙ    イエロー
Ｍ    マゼンタ
Ｃ    シアン
Ｋ    ブラック
【先行技術文献】
【特許文献】
【００７４】
【特許文献１】特開２００９−１７５３２０号公報
【特許文献２】特開２００９−１６９１９８号公報
【特許文献３】特開２００７−１０３１６０号公報
【特許文献４】特開２０１０−１３６３４８号公報
【特許文献５】特許第４５３３２３５号公報
【図１】
2012257143.tif 000003
【図２】
2012257143.tif 000004
【図３】
2012257143.tif 000005
【図４】
2012257143.tif 000006
【図５】
2012257143.tif 000007
【図６】
2012257143.tif 000008
【図７】
2012257143.tif 000009
【図８】
2012257143.tif 000010
【図９】
2012257143.tif 000011
【図１０】
2012257143.tif 000012
【図１１】
2012257143.tif 000013
【図１２】
2012257143.tif 000014
【図１３】
2012257143.tif 000015
【図１４】
2012257143.tif 000016